(57)【要約】【課題】  所望の図面を迅速に検索することができるとともに、使い勝手が良好で円滑に検索することができる。【解決手段】  検索抽出部１１は、受け取った指示位置情報及び選択入力情報に基づいて、所定の図面が表示部５に表示された状態で、線番が選択されたか否か判断する。すなわち、検索抽出部１１は、マウスポインタの位置が、いずれかの線番の表示位置に合わされているか否か、いずれかの線番が選択されたか否か判断する。かつ、検索抽出部１１は、いずれかの線番が選択されたと判断すると、選択された線番に対応する回路の行き先である図面を検索し、検索結果を表示制御部９へ送る。【選択図】  図２
2010049562.tif 000002
【特許請求の範囲】
【請求項１】
図面を記憶する図面記憶手段と、前記図面記憶手段に記憶された前記図面を検索する図面検索手段とを備えた図面情報管理装置であって、
前記図面の構成要素に関する構成要素情報と前記図面とを対応付けて記憶し、前記図面を検索するための検索情報記憶手段と、前記構成要素を選択するための構成要素選択手段とを備え、
前記図面検索手段は、前記構成要素選択手段によって選択された前記構成要素に関し、前記検索情報記憶手段に記憶された前記構成要素情報に基づいて、前記図面記憶手段から所定の前記図面を検索する
ことを特徴とする図面情報管理装置。
【請求項２】
前記図面を表示する表示手段を制御する表示制御手段を備え、前記構成要素選択手段によって、前記表示手段に表示されている前記図面を構成する前記構成要素が選択されると、前記図面検索手段は、同一の前記構成要素を含む他の前記図面を検索することを特徴とする請求項１に記載の図面情報管理装置。
【請求項３】
前記図面を表示する表示手段を制御し、前記図面または前記表示手段の表示画面の寸法に応じて、前記図面を複数の分割領域に分割して、所定の前記分割領域を前記表示手段に表示させる表示制御手段を備え、前記構成要素選択手段によって、前記表示手段に表示されている前記分割領域を構成する前記構成要素が選択されると、前記図面検索手段は、同一の前記構成要素を含む他の前記分割領域を検索することを特徴とする請求項１に記載の図面情報管理装置。
【請求項４】
前記構成要素情報は、前記構成要素の識別情報及び配置位置情報を含み、前記構成要素選択手段は、選択されている前記構成要素の選択位置情報を生成し、前記図面検索手段は、前記検索情報記憶手段に記憶された前記配置位置情報と、前記構成要素選択手段によって生成された前記選択位置情報とに基づいて、選択された前記構成要素を認識することを特徴とする請求項１、２または３に記載の図面情報管理装置。
【請求項５】
前記構成要素は、配線またはリレーデバイスを含み、前記識別情報は、前記配線の配線番号または前記リレーデバイスのデバイス番号を含むことを特徴とする請求項４に記載の図面情報管理装置。
【請求項６】
図面を記憶する図面記憶手段、及び前記図面記憶手段に記憶された前記図面を検索する図面検索手段を有する図面情報管理装置と、前記図面を表示する表示手段を有する操作端末とが、ネットワークを介して接続可能とされた図面情報管理システムであって、
前記図面情報管理装置は、前記図面の構成要素に関する構成要素情報と前記図面とを対応付けて記憶し、前記図面を検索するための検索情報記憶手段を有し、
前記操作端末は、前記構成要素を選択するための構成要素選択手段を有し、
前記図面検索手段は、前記構成要素選択手段によって選択された前記構成要素に関し、前記検索情報記憶手段に記憶された前記構成要素情報に基づいて、前記図面記憶手段から所定の前記図面を検索する
ことを特徴とする図面情報管理システム。
【請求項７】
図面を記憶する図面記憶手段に記憶された前記図面を検索する図面検索ステップを含む図面情報管理方法であって、
前記図面の構成要素を選択するための構成要素選択ステップを含み、
前記図面検索ステップでは、前記構成要素選択ステップで選択された前記構成要素に関し、前記図面と前記構成要素に関する構成要素情報とを対応付けて記憶し前記図面を検索するための検索情報記憶手段に記憶された前記構成要素情報に基づいて、前記図面記憶手段から所定の前記図面を検索する
ことを特徴とする図面情報管理方法。
【請求項８】
図面を記憶する図面記憶手段に記憶された前記図面を検索する図面検索ステップを含む図面情報管理方法をコンピュータに実行させるための図面情報管理プログラムであって、
前記図面の構成要素を選択するための構成要素選択ステップをコンピュータに実行させ、
前記図面検索ステップでは、前記構成要素選択ステップで選択された前記構成要素に関し、前記図面と前記構成要素に関する構成要素情報とを対応付けて記憶し前記図面を検索するための検索情報記憶手段に記憶された前記構成要素情報に基づいて、前記図面記憶手段から所定の前記図面を検索する
ことを特徴とする図面情報管理プログラム。
【発明の詳細な説明】
【技術分野】
【０００１】
この発明は、図面を検索する際に用いられる図面情報管理装置、図面情報管理システム、図面情報管理方法及び図面情報管理プログラムに関する。
【背景技術】
【０００２】
例えば、変電所には、外部から送られてくる電力を変圧して分岐送電するために、変圧器、開閉装置、調相設備、変成器等の主回路機器が設けられるととともに、制御盤、計測盤、保護盤等の各配電盤が配置され、配線（ケーブル）で接続される。そして、例えば、改良工事を行う場合や、不具合発生時等には、変電所に関する電気回路図（展開接続図、裏面接続図、ケーブル接続図等）が不可欠である。
【０００３】
展開接続図（シーケンス図）は、シーケンスの動作原理や、回路構成を知るための図である。また、裏面接続図には、変電所等に配置される配電盤の裏面で接続される各部品の端子間の接続関係や、部品（器具）の配置等を知るために、配線を示す配線番号、器具の配電盤における位置を示す位置符号、器具の端子番号等が示される。また、ケーブル接続図には、ケーブルの端部が接続される各配電盤の端子台毎に、ケーブル番号、ケーブル行き先、端子番号等が示される。変電所等の設備の電気回路図（展開接続図、裏面接続図、ケーブル接続図等）を見る場合には、配線番号（線番）や、リレーデバイス番号等に基づいて、これらの番号が記載されている図面を探しながら、回路の行き先を調べている。
【０００４】
しかしながら、こうした電気回路図は、通常、多数枚（例えば、一電気所あたり略１５００枚以上）にわたって書かれており、所望の図面を探すために長い時間を要してしまう。そこで、図面の検索を迅速に行うために、予め登録され、設計情報や製品情報に記述されている項目のなかから、抽出したい項目を、検索キー項目として指定して、所望の図面を検索する方法が提案されている（例えば、特許文献１参照）。
【特許文献１】特開平１０−３２０４１７号公報
【発明の開示】
【発明が解決しようとする課題】
【０００５】
しかし、上記従来技術を、例えば、回路の行き先を調べる際の図面の検索に適用しようとすると、使い勝手が悪いという問題がある。この技術では、回路を辿りながら、図面を検索していくというような方法をとることが困難である。
【０００６】
この発明は、前記の課題を解決し、所望の図面を迅速に検索することができるとともに、使い勝手が良好で円滑に検索することができる図面情報管理装置、図面情報管理システム、図面情報管理方法及び図面情報管理プログラムを提供することを目的としている。
【課題を解決するための手段】
【０００７】
前記の課題を解決するために、請求項１の発明は、図面を記憶する図面記憶手段と、前記図面記憶手段に記憶された前記図面を検索する図面検索手段とを備えた図面情報管理装置であって、前記図面の構成要素に関する構成要素情報と前記図面とを対応付けて記憶し、前記図面を検索するための検索情報記憶手段と、前記構成要素を選択するための構成要素選択手段とを備え、前記図面検索手段は、前記構成要素選択手段によって選択された前記構成要素に関し、前記検索情報記憶手段に記憶された前記構成要素情報に基づいて、前記図面記憶手段から所定の前記図面を検索することを特徴としている。ここで、図面の情報は、地図情報等を含む広い概念を意味する。
【０００８】
請求項１の発明では、図面検索手段が、構成要素選択手段によって選択された構成要素に関し、検索情報記憶手段に記憶された構成要素情報に基づいて、図面記憶手段から所定の図面を検索する。
【０００９】
請求項２の発明は、請求項１に記載の図面情報管理装置であって、前記図面を表示する表示手段を制御する表示制御手段を備え、前記構成要素選択手段によって、前記表示手段に表示されている前記図面を構成する前記構成要素が選択されると、前記図面検索手段は、同一の前記構成要素を含む他の前記図面を検索することを特徴としている。
【００１０】
請求項３の発明は、請求項１に記載の図面情報管理装置であって、前記図面を表示する表示手段を制御し、前記図面または前記表示手段の表示画面の寸法に応じて、前記図面を複数の分割領域に分割して、所定の前記分割領域を前記表示手段に表示させる表示制御手段を備え、前記構成要素選択手段によって、前記表示手段に表示されている前記分割領域を構成する前記構成要素が選択されると、前記図面検索手段は、同一の前記構成要素を含む他の前記分割領域を検索することを特徴としている。
【００１１】
請求項４の発明は、請求項１、２または３に記載の図面情報管理装置であって、前記構成要素情報は、前記構成要素の識別情報及び配置位置情報を含み、前記構成要素選択手段は、選択されている前記構成要素の選択位置情報を生成し、前記図面検索手段は、前記検索情報記憶手段に記憶された前記配置位置情報と、前記構成要素選択手段によって生成された前記選択位置情報とに基づいて、選択された前記構成要素を認識することを特徴としている。
【００１２】
請求項５の発明は、請求項４に記載の図面情報管理装置であって、前記構成要素は、配線またはリレーデバイスを含み、前記識別情報は、前記配線の配線番号または前記リレーデバイスのデバイス番号を含むことを特徴としている。
【００１３】
請求項６の発明は、図面を記憶する図面記憶手段、及び前記図面記憶手段に記憶された前記図面を検索する図面検索手段を有する図面情報管理装置と、前記図面を表示する表示手段を有する操作端末とが、ネットワークを介して接続可能とされた図面情報管理システムであって、前記図面情報管理装置は、前記図面の構成要素に関する構成要素情報と前記図面とを対応付けて記憶し、前記図面を検索するための検索情報記憶手段を有し、前記操作端末は、前記構成要素を選択するための構成要素選択手段を有し、前記図面検索手段は、前記構成要素選択手段によって選択された前記構成要素に関し、前記検索情報記憶手段に記憶された前記構成要素情報に基づいて、前記図面記憶手段から所定の前記図面を検索することを特徴としている。
【００１４】
請求項７の発明は、図面を記憶する図面記憶手段に記憶された前記図面を検索する図面検索ステップを含む図面情報管理方法であって、前記図面の構成要素を選択するための構成要素選択ステップを含み、前記図面検索ステップでは、前記構成要素選択ステップで選択された前記構成要素に関し、前記図面と前記構成要素に関する構成要素情報とを対応付けて記憶し前記図面を検索するための検索情報記憶手段に記憶された前記構成要素情報に基づいて、前記図面記憶手段から所定の前記図面を検索することを特徴としている。
【００１５】
請求項８の発明は、図面を記憶する図面記憶手段に記憶された前記図面を検索する図面検索ステップを含む図面情報管理方法をコンピュータに実行させるための図面情報管理プログラムであって、前記図面の構成要素を選択するための構成要素選択ステップをコンピュータに実行させ、前記図面検索ステップでは、前記構成要素選択ステップで選択された前記構成要素に関し、前記図面と前記構成要素に関する構成要素情報とを対応付けて記憶し前記図面を検索するための検索情報記憶手段に記憶された前記構成要素情報に基づいて、前記図面記憶手段から所定の前記図面を検索することを特徴としている。
【発明の効果】
【００１６】
請求項１の発明によれば、図面検索手段が、構成要素選択手段によって選択された構成要素に関し、検索情報記憶手段に記憶された構成要素情報に基づいて、図面記憶手段から所定の図面を検索するので、所望の図面を迅速に検索することができる。また、例えば、構成要素の配置位置情報等の構成要素情報に基づいて、図面を検索することによって、良好な使い勝手で円滑に図面を検索することができる。
【００１７】
請求項２の発明によれば、操作者は、表示手段に表示されている図面を確認しながら構成要素を選択して、図面検索手段は、同一の構成要素を含む他の図面を検索するので、良好な使い勝手で円滑に図面を検索することができる。例えば、回路の行き先を調べるために用いて好適である。
【００１８】
請求項３の発明によれば、操作者は、表示手段に表示されている図面の分割領域を確認しながら構成要素を選択して、図面検索手段は、同一の構成要素を含む他の分割領域を検索するので、良好な使い勝手で円滑に図面を検索することができる。例えば、回路の行き先を調べるために用いて好適である。また、図面や表示画面の寸法にかかわらず、図面を適切に表示し、回路の行き先を円滑に調べることができる。
【００１９】
請求項４の発明によれば、図面検索手段は、配置位置情報と選択位置情報とに基づいて、選択された構成要素を認識するので、良好な使い勝手で円滑に図面を検索することができる。
【００２０】
請求項５の発明によれば、構成要素として、配線またはリレーデバイスを選択することによって、図面を検索して、例えば、回路の行き先を円滑に調べることができる。
【００２１】
請求項６の発明によれば、図面情報管理装置の図面検索手段が、操作端末の構成要素選択手段によって選択された構成要素に関し、検索情報記憶手段に記憶された構成要素情報に基づいて、図面記憶手段から所定の図面を検索するので、所望の面を迅速に検索することができる。また、例えば、構成要素の配置位置情報等の構成要素情報に基づいて、図面を検索することによって、良好な使い勝手で円滑に図面を検索することができる。
【００２２】
請求項７の発明によれば、図面検索ステップで、構成要素選択ステップで選択された構成要素に関し、検索情報記憶手段に記憶された構成要素情報に基づいて、図面記憶手段から所定の図面を検索するので、所望の図面を迅速に検索することができる。また、例えば、構成要素の配置位置情報等の構成要素情報に基づいて、図面を検索することによって、良好な使い勝手で円滑に図面を検索することができる。
【００２３】
請求項８の発明によれば、コンピュータに図面検索ステップを実行させて、構成要素選択ステップの実行によって選択された構成要素に関し、検索情報記憶手段に記憶された構成要素情報に基づいて、図面記憶手段から所定の図面の検索を行うので、所望の図面を迅速に検索することができる。また、例えば、構成要素の配置位置情報等の構成要素情報に基づいて、図面を検索することによって、良好な使い勝手で円滑に図面を検索することができる。
【発明を実施するための最良の形態】
【００２４】
次に、この発明の実施の形態について、図面を用いて詳しく説明する。
【００２５】
（実施の形態１）
図１及び図２は、この発明の実施の形態１による図面情報管理装置の構成を示すブロック図、図３は、同図面情報管理装置の検索情報データベースの記憶内容を説明するための説明図である。図１に示すように、図面情報管理装置１は、所定の制御プログラムに従って構成各部を制御する制御部２と、各種プログラムやデータが記憶される記憶部３と、データの入力や指示を行うための入力部４と、図面を表示する表示部５と、印刷部６とを備えている。
【００２６】
制御部２は、ＣＰＵ（Ｃｅｎｔｒａｌ  Ｐｒｏｃｅｓｓｉｎｇ  Ｕｎｉｔ）等からなり、記憶部３に記憶された所定の制御プログラムに従って構成各部を制御する。制御部２は、記憶部３に記憶された制御プログラムに従って、例えば、操作制御処理や、表示制御処理、検索抽出処理、印刷制御処理等を実行する。制御部２は、操作制御処理プログラムや、表示制御処理プログラム、検索抽出処理プログラム、印刷制御処理プログラム等を実行することによって、図２に示すように、それぞれ、操作制御部８や、表示制御部９、検索抽出部１１、印刷制御部１２として機能する。
【００２７】
操作制御部８は、マウス４ｂからの操作情報に基づいて、マウスポインタ（マウスカーソル）の現在位置（例えば、矢印の先端位置）を示す指示位置情報と、選択を確定する選択入力情報（クリック操作情報）とを、検索抽出部１１へ渡す。表示制御部９は、表示部５に表示情報を送って図面を表示させる（図５参照）。また、表示制御部９は、検索抽出部１１から、図面の検索結果を受け取ると、検索対象の図面を表示部５に表示させ、この図面の該当する線番の位置にマウス４ｂのマウスポインタを配置させるように表示させる（図６参照）。また、表示制御部９は、図面の並列表示の要求を受け付けると、選択された線番に対応した図面を並べて表示部５に表示させる（図７参照）。
【００２８】
検索抽出部１１は、受け取った指示位置情報及び選択入力情報に基づいて、所定の図面が表示部５に表示された状態で、線番が選択されたか否かを判断する。すなわち、検索抽出部１１は、マウスポインタの位置が、いずれかの線番の表示位置に合わされているか（線番の表示領域内に配置されているか）否か、すなわち、いずれかの線番が選択されたか否かを、検索情報データベース１７を検索して、判断する。かつ、検索抽出部１１は、いずれかの線番が選択されたと判断すると、選択された線番に対応する回路の行き先である図面、頁及び線番の表示位置を検索し、検索結果としての図面情報を表示制御部９へ送る。印刷制御部１２は、印刷要求を受けると、印刷部６に印刷情報を送って、表示部５に表示された図面を印刷させる。
【００２９】
記憶部３は、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、図２に示すように、各種プログラムを記憶するプログラム記憶部１４と、各種情報を記憶する情報記憶部１５とを有している。プログラム記憶部１４は、操作制御処理プログラム記憶領域と、表示制御処理プログラム記憶領域と、検索抽出処理プログラム記憶領域と、印刷制御処理プログラム記憶領域とを有している。
【００３０】
情報記憶部１５は、図２に示すように、図面情報データベース１６と、検索情報データベース１７とを有している。図面情報データベース１６には、多数枚の図面がデータベース化されて記憶されている。検索情報データベース１７には、例えば、図３に示すように、線番毎に、図面名、頁、表示位置等がそれぞれ対応付けられて記憶されている。なお、この実施の形態では、表示位置は、２点の座標が示され、これらの２点を結ぶ線分を対角線とする長方形によって、その表示領域が示される。入力部４は、図２に示すように、キーボード４ａと、ポインティングデバイスとしてのマウス４ｂとを有している。ポインティングデバイスとしては、マウス以外に、ライトペンや、トラックボール、トラックパッド、ポインティングスティック等を用いても良い。
【００３１】
次に、上記構成の図面情報管理装置を用いた図面情報管理方法について説明する。
図４は、同図面情報管理装置による図面情報管理方法を説明するためのフローチャート、図５乃至図１１は、同図面情報管理装置の表示部における展開接続図の表示例を示す図である。表示制御部９は、表示部５に表示情報を送って、図５に示すように、所定の図面（例えば、シーケンスを示す展開接続図）を表示させる（ステップＳＴ１１（図４））。操作制御部８は、マウス４ｂからの操作情報に基づいて、マウスポインタの現在位置を示す指示位置情報と、入力を確定する選択入力情報とを、検索抽出部１１へ渡す。
【００３２】
ステップＳＴ１２で、検索抽出部１１は、選択入力があったか否か判断する。検索抽出部１１は、受け取った指示位置情報及び選択入力情報に基づいて、所定の図面が表示部５に表示された状態で、いずれかの線番が選択されたか否かを判断する。すなわち、検索抽出部１１は、マウスポインタの位置（例えば、矢印の先端位置）が、いずれかの線番の表示位置に合わされているか（線番の上記表示領域内に配置されているか）否か、すなわち、いずれかの線番が選択されたか否かを、検索情報データベース１７を検索して、判断する。かつ、検索抽出部１１は、いずれかの線番が選択されたと判断すると、ステップＳＴ１３で、選択された線番に対応する回路の行き先である図面、頁及び線番の表示位置を検索し、検索結果としての図面情報を表示制御部９へ送る。例えば、図５に示す展開接続図において、線番「１２３４」が選択された場合に、回路の行き先として、図６に示す展開接続図が検索される。
【００３３】
ステップＳＴ１４で、表示制御部９は、検索抽出部１１から、図面の検索結果を受け取ると、図６に示すように、検索対象の図面を表示部５に表示させ、この図面の該当する線番の位置にマウス４ｂのマウスポインタを配置させるように表示させる。また、ステップＳＴ１５で、表示制御部９は、図面の並列表示の要求を受け付けると、ステップＳＴ１６で、図７に示すように、選択された線番に対応した図面を並べて表示部５に表示させる。ステップＳＴ１７で、印刷制御部１２は、印刷要求を受けると、ステップＳＴ１８で、印刷部６に印刷情報を送って、表示部５に表示された図面を印刷させる。
【００３４】
次に、図８乃至図１１を参照して、さらに具体的な例について説明する。例えば、変電所の電気設備において、主変圧器の保護の状況を調べたい場合に、図８に示す展開接続図において、線番「１３０２」が選択されたときに、回路の行き先として、図９に示す展開接続図が検索される。続いて、図９に示す展開接続図において、「１３０２」の行き先として線番「１３０９」が選択されたときに、回路の行き先として、図１１に示す展開接続図が検索される。ここで、「１３０９」の行き先が「主変保護盤」であることがわかる。また、図１０に示す展開接続図において、線番「１３０９」が選択されたときに、回路の行き先として、図１１に示す展開接続図が検索される。ここで、「１３０９」の行き先が「主変３次盤」であることがわかる。
【００３５】
以上、簡単のために図面の構成要素として、配線を選択して図面を検索する場合について述べたが、一般に、複数種の構成要素を選択することが可能である。次に、線番に加えて、リレーデバイス番号を選択した場合に、回路の行き先としての図面を検索する例について述べる。図１２乃至図１４は、図面情報管理装置１の表示部５における展開接続図の表示例を示す図である。
【００３６】
表示制御部９は、表示部５に表示情報を送って図面を表示させる（図１２参照）。また、表示制御部９は、検索抽出部１１から、図面の検索結果を受け取ると、検索対象の図面を表示部５に表示させ、この図面の該当するリレーデバイス番号の位置にマウス４ｂのマウスポインタを配置させるように表示させる（図１３参照）。また、表示制御部９は、図面の並列表示の要求を受け付けると、選択されたリレーデバイス番号に対応した図面を並べて表示部５に表示させる（図１４参照）。
【００３７】
検索抽出部１１は、受け取った指示位置情報及び選択入力情報に基づいて、所定の図面が表示部５に表示された状態で、いずれかのリレーデバイス番号が選択されたか否か判断する。すなわち、検索抽出部１１は、マウスポインタの位置（例えば、矢印の先端位置）が、いずれかのリレーデバイス番号の表示位置に合わされているか（リレーデバイス番号の表示領域内に配置されているか）否か、すなわち、いずれかのリレーデバイス番号が選択されたか否かを、検索情報データベース１７を検索して、判断する。
【００３８】
かつ、検索抽出部１１は、いずれかのリレーデバイス番号が選択されたと判断すると、選択されたリレーデバイス番号に対応する回路の行き先である図面、頁及びリレーデバイス番号の表示位置を検索し、検索結果を表示制御部９へ送る。印刷制御部１２は、印刷要求を受けると、印刷部６に印刷情報を送って、表示部５に表示された図面を印刷させる。ここでは、検索情報データベースには、例えば、線番毎及びリレーデバイス番号毎に、図面名、頁、表示位置等がそれぞれ対応付けられて記憶されている。図１２で、リレー「１Ｒｙ」の駆動部が選択されると、図１３に示すように、対応する接点を含む展開接続図が検索され、表示部５に表示される。
【００３９】
こうして、この実施の形態の構成によれば、検索抽出部１１が、マウス４ｂを用いて選択された配線（リレーデバイス）に関し、検索情報データベース１７に記憶された線番（リレーデバイス番号）に基づいて、図面情報データベース１６から所定の図面を検索するので、所望の図面を迅速に検索することができる。また、操作者は、表示部５に表示されている図面を確認しながら配線（リレーデバイス）を選択して、検索抽出部１１は、同一の配線（リレーデバイス）を含む他の図面を検索するので、良好な使い勝手で円滑に図面を検索することができる。
【００４０】
また、検索抽出部１１は、線番（リレーデバイス番号）の表示位置とマウス４ｂによる選択位置とに基づいて、選択された配線（リレーデバイス）を認識するので、良好な使い勝手で円滑に図面を検索することができる。また、図面の構成要素として、配線（リレーデバイス）を選択することによって、図面を検索して、例えば、回路の行き先を円滑に調べることができる。また、ポインティングデバイスとしてのマウス４ｂを用いることによって、配線（リレーデバイス）を迅速かつ円滑に選択操作を行うことができる。
【００４１】
（実施の形態２）
図１５乃至図１７は、この発明の実施の形態２による図面情報管理装置の表示部における図面の表示例を示す図である。この例の構成が上述した実施の形態１の構成と大きく異なるところは、展開接続図に加えて、回路の行き先として裏面接続図及びケーブル接続図の検索が可能なように構成した点である。
【００４２】
検索抽出部１１は、受け取った指示位置情報及び選択入力情報に基づいて、所定の図面が表示部５に表示された状態で、線番（リレーデバイス番号）が選択されたか否か判断する。すなわち、検索抽出部１１は、マウスポインタの位置（例えば、矢印の先端位置）が、いずれかの線番（リレーデバイス番号）の表示位置に合わされているか（線番（リレーデバイス番号）の表示領域内に配置されているか）否か、すなわち、いずれかの線番（リレーデバイス番号）が選択されたか否かを、検索情報データベース１７を検索して、判断する。かつ、検索抽出部１１は、いずれかの線番（リレーデバイス番号）が選択されたと判断すると、選択された線番（リレーデバイス番号）に対応する回路の行き先である図面、頁及び線番（リレーデバイス番号）の表示位置を検索し、検索結果としての図面情報を表示制御部９へ送る。この実施の形態では、検索抽出部１１は、複数の図面が検索されると、複数毎分の図面の情報を表示制御部９へ渡すとともに、検索対象の図面は、展開接続図のほか、裏面接続図及びケーブル接続図を含んでいる。
【００４３】
表示制御部９は、図１５（ａ）（図１７（ａ））に示すように、表示部５に表示情報を送って所定の図面を表示させる。また、表示制御部９は、検索抽出部１１から、図面の検索結果（例えば、展開接続図、裏面接続図及びケーブル接続図をそれぞれ１枚ずつ）を受け取ると、図１６に示すように、展開接続図、裏面接続図及びケーブル接続図のなかから、所望の図面を選択させるためのポップアップ画面５ａを、表示部５に表示させる。
【００４４】
「１展開接続図」が選択されると、図１５（ｂ）（図１７（ｂ））に示すように、行き先としての展開接続図を表示させる。また、「２裏面接続図」が選択されると、図１５（ｃ）（図１７（ｃ））に示すように、行き先としての裏面接続図を表示させる。また、「３ケーブル接続図」が選択されると、図１５（ｄ）（図１７（ｄ））に示すように、行き先としてのケーブル接続図を表示させる。さらに、この実施の形態では、展開接続図を起点とした検索のほか、例えば、裏面接続図間及びケーブル接続図間でも検索が可能とされている。
【００４５】
以上の説明では、複数の図面が検索された場合に、表示部５にポップアップ画面５ａを表示させて、選択させる場合について述べたが、重ねて表示させても良い。図１８は、この実施の形態の図面情報管理装置１の表示部５における展開接続図の表示例を示す図である。
【００４６】
表示制御部９は、表示部５に表示情報を送って図面を表示させる。また、表示制御部９は、検索抽出部１１から、図面の検索結果を受け取ると、検索対象の図面を表示部５に表示させる。表示制御部９は、複数の図面がある場合には、図１８に示すように、重ねて表示させる。ここで、マウス４ｂを用いて、図面の領域内にマウスポインタが配置されて、クリックされた場合に、その図面が前面に配置されて表示される。
【００４７】
検索抽出部１１は、受け取った指示位置情報及び選択入力情報に基づいて、所定の図面が表示部５に表示された状態で、線番（リレーデバイス番号）が選択されたか否か判断する。すなわち、検索抽出部１１は、マウスポインタの位置（例えば、矢印の先端位置）が、いずれかの線番（リレーデバイス番号）の表示位置に合わされているか（線番（リレーデバイス番号）の表示領域内に配置されているか）否か、すなわち、いずれかの線番（リレーデバイス番号）が選択されたか否かを、検索情報データベース１７を検索して、判断する。かつ、検索抽出部１１は、いずれかの線番（リレーデバイス番号）が選択されたと判断すると、選択された線番（リレーデバイス番号）に対応する回路の行き先である図面、頁及び線番の表示位置を検索し、検索結果としての図面情報を表示制御部９へ送る。検索抽出部１１は、複数の図面がある場合には、検索された枚数分の情報を送る。
【００４８】
さらに、この実施の形態では、図面の寸法や、表示画面の寸法に応じて、例えば、比較的大面積の単一の図面を同一寸法の矩形状領域に多数分割し、分割領域毎に表示部５に表示させる。図１９は、同図面の分割方法を説明するための説明図、図２０は、検索情報データベースの記憶内容を説明するための説明図である。
【００４９】
表示制御部９は、表示部５に表示情報を送って、図１９に示すように、単一の図面Ｓのうち、表示画面の形状寸法に対応させて分割された所定の分割領域Ｓａを表示させる。また、表示制御部９は、検索抽出部１１から、検索結果を受け取ると、図面Ｓの検索対象の他の分割領域Ｓｂを表示部５に表示させ、この分割領域Ｓｂの該当する例えば線番の位置にマウス４ｂのマウスポインタを配置させるように表示させる。
【００５０】
また、表示制御部９は、分割領域Ｓａ、Ｓｂの並列表示の要求を受け付けると、選択された線番に対応した分割領域Ｓａ、Ｓｂを並べて表示部５に表示させる。
【００５１】
検索抽出部１１は、受け取った指示位置情報及び選択入力情報に基づいて、図面の所定の分割領域が表示部５に表示された状態で、いずれかの線番が選択されたか否か判断する。すなわち、検索抽出部１１は、マウスポインタの位置（例えば、矢印の先端位置）が、いずれかの線番の表示位置に合わされているか（線番の表示領域内に配置されているか）否か、すなわち、いずれかの線番が選択されたか否かを、検索情報データベース１７Ａを検索して、判断する。かつ、検索抽出部１１は、いずれかの線番が選択されたと判断すると、選択された線番に対応する回路の行き先である図面の頁、図面内の分割領域の位置及び線番の表示位置を検索し、検索結果を表示制御部９へ送る。検索情報データベース１７Ａには、図２０に示すように、線番毎に、図面名、頁、図面内の分割領域の位置、線番の表示位置等がそれぞれ対応付けられて記憶されている。
【００５２】
なお、検索される図面の分割領域は、同一図面のほか、他の図面の分割領域を含む。
【００５３】
この例の構成によれば、上述した実施の形態１と略同様の効果を得ることができる。加えて、展開接続図に加えて、回路の行き先として裏面接続図及びケーブル接続図の検索が可能とされ、かつ、裏面接続図間及びケーブル接続図間の検索も可能されているので、例えば、精細な調査を行うことができる。また、複数の図面がある場合は、例えば、選択用のポップアップ画面を表示して、または重ねて表示して、簡単に選択可能とされているので、回路の行き先が複数ある場合でも、見落とす可能性を少なくすることができる。また、図面の寸法にかかわらず、図面を適切に表示し、回路の行き先を円滑に調べることができる。
【００５４】
（実施の形態３）
図２１は、この発明の実施の形態３による図面情報管理システムの構成を示す図、図２２は、同図面情報管理システムの図面情報管理サーバの構成を示すブロック図、図２３は、同図面情報管理システムの操作端末の構成を示すブロック図である。図２１に示すように、図面情報管理システム２１は、図面を検索するための図面情報管理サーバ２２と、図面を表示するための表示部を有する操作端末２３ａ，２３ｂ，…とが、例えば、ＬＡＮ（Ｌｏｃａｌ  Ａｒｅａ  Ｎｅｔｗｏｒｋ）等のネットワーク２４を介して接続可能とされて、概略構成されている。
【００５５】
図面情報管理サーバ２２は、図２２に示すように、ＣＰＵ等からなり、記憶部２７に記憶された所定の制御プログラムに従って構成各部を制御する制御部２６と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部２７と、所定のプロトコルに従ってデータ通信を行うための通信部２８とを有している。
【００５６】
制御部２６は、実施の形態１の制御部２と同様の検索抽出処理機能を有している。但し、制御部２６は、操作端末２３ａ（２３ｂ，２３ｃ，…）へ、図面の表示情報を送信するとともに、操作端末２３ａ（２３ｂ，２３ｃ，…）から操作情報（検索要求）を受信して、検索抽出処理等を実行する。
【００５７】
操作端末２３ａ（２３ｂ，２３ｃ，…）は、図２３に示すように、例えば、パーソナルコンピュータからなり、当該操作端末本体の構成各部を制御する制御部３１と、制御部３１が実行する処理プログラムや各種データ等を記憶するための記憶部３２と、所定のプロトコルに従ってデータ通信を行う通信部３３と、入力部３４と、表示部３５と、印刷部３６とから概略構成されている。制御部３１は、図面情報管理サーバ２２から表示情報を受信して、表示部３５に表示させ、入力部３４からの操作情報を、図面情報管理サーバ２２へ送信して、図面の検索要求を行う。
【００５８】
また、この実施の形態では、線番に加えて、配線を含む所定の領域を選択可能とされている。すなわち、各線番の配線に沿って両側に帯状領域が設定され、この帯状領域内にマウスポインタが配置されて、クリックされた場合に、行き先の図面が検索される。
【００５９】
この実施の形態で、ネットワークは、無線ネットワークを含んでいても良い。また、操２３ａ（２３ｂ，２３ｃ，…）は、無線通信部を有する移動端末であっても良い。また、変電所等の施設内に、アクセスポイントを設けて、施設内で、アクセスポイントを介して、移動端末としての操作端末２３ａ（２３ｂ，２３ｃ，…）から図面情報管理サーバ２２にアクセス可能なようにしても良い。
【００６０】
この例の構成によれば、上述した実施の形態１と略同様の効果を得ることができる。加えて、図面検索機能を、多数の操作者が同時に利用することができる。かつ、複数の図面情報管理装置を導入するのに比べてコストを低減することができる。また、配線を確実に選択することができる。また、線番が欠落していても選択が可能となる。
【００６１】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態１では、操作制御処理や、表示制御処理、検索抽出処理、印刷制御処理等を、制御部が、対応する制御プログラムを実行することによって行う場合について述べたが、操作制御処理や、表示制御処理、検索抽出処理、印刷制御処理等の一部又は全部を専用のハードウェアを用いて行い、他の一部を対応するプログラムを実行して処理するようにしても良い。
【００６２】
また、操作制御処理や、表示制御処理、検索抽出処理、印刷制御処理等を、それぞれ別々のＣＰＵが実行しても良いし、例えば、単一のＣＰＵが実行しても良い。さらに、各処理を別々の情報処理装置が行うようにしても良いし、これらの情報処理装置は、集中させて配置しても、ネットワーク上に分散させて配置しても良い。また、単一の制御部（ＣＰＵ）を設けた場合について述べたが、複数設ける場合にも適用することができる。また、記憶部を、複数の制御部に対応させて、それぞれ専用に設けるようにしても良い。
【００６３】
また、線番等を指示入力した際に、必ずしも図面を表示させなくても、直接印刷させるようにしても良い。また、マウスポインタは、矢印に代えて十字等であっても良い。また、線番等は、マウスを用いたクリックによる選択に代えて、キーボードから入力しても良い。また、線番等のリストを表示部に表示させて、選択するようにしても良い。また、複数図面を表示させる場合に、必要箇所のみ抽出して表示させても良い。また、寸法を縮小させて表示させても良い。
【００６４】
また、実施の形態２で、全体画面を縮小して、かつ、各領域に分割して表示させて、検索対象の該当する領域を、例えば、表示色を変えて表示させて、選択可能なようにしても良い。また、実施の形態３で、検索情報データベースサーバや、図面情報データベースサーバを独立させても良いし、各サーバは、複数配置しても良いし、ネットワーク上の別の場所に設置しても良い。
【産業上の利用可能性】
【００６５】
電気回路図情報として、展開接続図等のほか、結線図等の検索にも適用できる。また、図面情報として、電気回路図のほか、地図情報等を扱う際にも適用できる。
【図面の簡単な説明】
【００６６】
【図１】この発明の実施の形態１による図面情報管理装置の構成を示すブロック図である。
【図２】同図面情報管理装置の構成を示すブロック図である。
【図３】同図面情報管理装置の検索情報データベースの記憶内容を説明するための説明図である。
【図４】同図面情報管理装置による図面情報管理方法を説明するためのフローチャートである。
【図５】同図面情報管理装置の表示部における展開接続図の表示例を示す図である。
【図６】同図面情報管理装置の表示部における展開接続図の表示例を示す図である。
【図７】同図面情報管理装置の表示部における展開接続図の表示例を示す図である。
【図８】同図面情報管理装置の表示部における展開接続図の表示例を示す図である。
【図９】同図面情報管理装置の表示部における展開接続図の表示例を示す図である。
【図１０】同図面情報管理装置の表示部における展開接続図の表示例を示す図である。
【図１１】同図面情報管理装置の表示部における展開接続図の表示例を示す図である。
【図１２】同図面情報管理装置の表示部における展開接続図の表示例を示す図である。
【図１３】同図面情報管理装置の表示部における展開接続図の表示例を示す図である。
【図１４】同図面情報管理装置の表示部における展開接続図の表示例を示す図である。
【図１５】この発明の実施の形態２による図面情報管理装置の表示部における展開接続図の表示例を示す図である。
【図１６】同図面情報管理装置の表示部における図面の表示例を示す図である。
【図１７】同図面情報管理装置の表示部における図面の表示例を示す図である。
【図１８】同図面情報管理装置の表示部における図面の表示例を示す図である。
【図１９】同図面の分割方法を説明するための説明図である。
【図２０】検索情報データベースの記憶内容を説明するための説明図である。
【図２１】この発明の実施の形態３による図面情報管理システムの構成を示す図である。
【図２２】同図面情報管理システムの図面情報管理サーバの構成を示すブロック図である。
【図２３】同図面情報管理システムの操作端末の構成を示すブロック図である。
【符号の説明】
【００６７】
１  図面情報管理装置
２  制御部
３  記憶部
４  入力部
４ｂ  マウス（構成要素選択手段）
５  表示部（表示手段）
９  表示制御部（表示制御手段）
１１  検索抽出部（図面検索手段）
１６  図面情報データベース（図面記憶手段）
１７、１７Ａ  検索情報データベース（検索情報記憶手段）
２１  図面情報管理システム
２２  図面情報管理サーバ（図面情報管理装置）
２３ａ、２３ｂ、…  操作端末
２４  ネットワーク
Ｓ  図面
Ｓａ、Ｓｂ  分割領域
【図１】
2010049562.tif 000003
【図２】
2010049562.tif 000004
【図３】
2010049562.tif 000005
【図４】
2010049562.tif 000006
【図５】
2010049562.tif 000007
【図６】
2010049562.tif 000008
【図７】
2010049562.tif 000009
【図８】
2010049562.tif 000010
【図９】
2010049562.tif 000011
【図１０】
2010049562.tif 000012
【図１１】
2010049562.tif 000013
【図１２】
2010049562.tif 000014
【図１３】
2010049562.tif 000015
【図１４】
2010049562.tif 000016
【図１５】
2010049562.tif 000017
【図１６】
2010049562.tif 000018
【図１７】
2010049562.tif 000019
【図１８】
2010049562.tif 000020
【図１９】
2010049562.tif 000021
【図２０】
2010049562.tif 000022
【図２１】
2010049562.tif 000023
【図２２】
2010049562.tif 000024
【図２３】
2010049562.tif 000025